(57)【要約】【課題】摩耗性能等を損なうことなく、制動性能を向上させることができる空気入りタイヤを提供する。【解決手段】ベルト層２８，３０及びカーカス層２４でのコード構成が式（１）及び（２）を満足するように設定する。  ＥＢ（ＣＥ）＞ ＥＢ（ＳＨ）  …（１）  ＥＰ（ＣＥ）＞ ＥＰ（ＳＨ）≧ ＥＰ（ＢＡＴ）  …（２）（ＥＢ（ＣＥ）はトレッドセンター部ＣＥでのベルトコード打込密度、ＥＢ（ＳＨ）はトレッドショルダー部ＳＨでのベルトコード打込密度、ＥＰ（ＣＥ）はトレッドセンター部ＣＥでのカーカスコード打込密度、ＥＰ（ＳＨ）はトレッドショルダー部ＳＨでのカーカスコード打込密度、ＥＰ（ＢＡＴ）はバットレス部ＢＡＴでのカーカスコード打込密度）【選択図】        図２
2006256521.tif 000002
【特許請求の範囲】
【請求項１】
トレッド部からサイドウォール部を通りビード部のビードコアにて係止された少なくとも一層のカーカス層からなるカーカスと、前記トレッド部における前記カーカスの半径方向外側に配された複数のベルト層からなるベルトを備える空気入りタイヤであって、
前記ベルト層は、トレッドショルダー部におけるベルトコードの打込密度がトレッドセンター部におけるベルトコードの打込密度よりも小さく、
前記カーカス層は、トレッドショルダー部及びバットレス部におけるカーカスコードの打込密度がトレッドセンター部におけるカーカスコードの打込密度よりも小さく設定されたことを特徴とする空気入りタイヤ。
【請求項２】
トレッド部からサイドウォール部を通りビード部のビードコアにて係止された少なくとも一層のカーカス層からなるカーカスと、前記トレッド部における前記カーカスの半径方向外側に配された複数のベルト層からなるベルトと、該ベルトの半径方向外側に配されたベルト補強層を備える空気入りタイヤであって、
前記ベルト層は、トレッドショルダー部におけるベルトコードの打込密度がトレッドセンター部におけるベルトコードの打込密度よりも小さく、
前記カーカス層は、トレッドショルダー部及びバットレス部におけるカーカスコードの打込密度がトレッドセンター部におけるカーカスコードの打込密度よりも小さく、
前記ベルト補強層は、トレッドショルダー部におけるコードの打込密度がトレッドセンター部におけるコードの打込密度よりも小さく設定されたことを特徴とする空気入りタイヤ。
【発明の詳細な説明】
【技術分野】
【０００１】
本発明は、空気入りタイヤに関するものであり、特に、摩耗性能や転がり抵抗性能を損なうことなく制動性能を向上することができる空気入りタイヤに関する。
【背景技術】
【０００２】
従来、空気入りタイヤにおいて、制動性能の向上を図るための手法としては、トレッドキャップを摩擦抵抗の高いゴム配合で形成するのが一般的である。しかしながら、この手法では、制動性能は向上するものの、摩耗性能や転がり抵抗性能が悪化することが予測される。
【０００３】
ところで、特開平７−１９１３号公報（特許文献１）には、タイヤの運動性能や乗り心地を損なうことなく騒音を低減するために、カーカス層におけるカーカスコードの打込密度をタイヤ周方向に変化させることが開示されている。
【０００４】
また、特開平１０−５３９７９号公報（特許文献２）には、カーカス層におけるカーカスコードの打込間隔について、クラウンセンターライン部での打込間隔がビード折返し部分での打込間隔よりも大きくしたものが開示されている。
【０００５】
また、特開平６−４８１１３号公報（特許文献３）には、転がり抵抗を低減するために、ベルト層の外側に配されるベルト補強層のコード構成ついて、コードの一本当たりの強力と打込本数との積の値を、ベルト補強層の中央区域部分で側部区域部分よりも大きくすることが開示されている。
【特許文献１】特開平７−１９１３号公報
【特許文献２】特開平１０−５３９７９号公報
【特許文献３】特開平６−４８１１３号公報
【発明の開示】
【発明が解決しようとする課題】
【０００６】
上記特許文献１に開示の技術では、カーカス層におけるコードの打込密度を変化させることは開示されているものの、タイヤ周方向での変化であり、タイヤ幅方向でコードの打込密度を異ならせることについては開示されていない。
【０００７】
また、上記特許文献２に開示の技術では、カーカスコードの打込密度について、クラウンセンターライン部とビード折返し部分との関係については開示されているものの、トレッドセンター部とショルダー部とで異なる打込密度にする点は開示されていない。
【０００８】
一方、上記特許文献３には、ベルト補強層について、トレッドショルダー部でのコード打込密度をトレッドセンター部でのコード打込密度よりも小さくする構成が開示されている。しかしながら、同文献に開示の技術は、トレッドショルダー部での打込密度を小さくすることにより、層間歪みに伴って発生する応力を小さくし、これにより、該ショルダー部での転がり抵抗を低下させるというものであり、上記構成により、トレッドショルダー部での損失エネルギーを高めて制動性能を向上させることについては何ら開示されていない。
【０００９】
本発明は、ベルト層及びカーカス層のコード構成につき、トレッドショルダー部とトレッドセンター部での打込密度を変えることにより、背反性能の低下を伴うことなく制動性能を向上させることができる空気入りタイヤを提供することを目的とする。
【課題を解決するための手段】
【００１０】
本発明者は、制動するために必要なエネルギー、即ち制動時に消費されるエネルギーがゴムのヒステリシスによる損失エネルギーとほぼ等価であると考えた。そのため、制動時の損失エネルギーと定常荷重負荷時の損失エネルギーとの差が大きいタイヤは制動時に消費されるエネルギーが大きく、制動性能が向上すると考えた。そして、かかる損失エネルギーを解析したところ、損失エネルギーの大きい部位は、最大幅のベルト層とこれに重ねられたベルト層との間のトッピングゴム、及び、カーカス層のトッピングゴムであり、特に、ベルト層ではトレッドショルダー部、カーカス層ではトレッドショルダー部からバットレス部のエネルギー損失率の寄与が大きいことを突き止めた。そのため、これらの部位の損失エネルギーが高くなるように、ベルト層及びカーカス層、更にベルト補強層を有する場合には同補強層でのコードの打込密度を変えれば、摩耗性能や転がり抵抗性能などの背反性能を損なうことなく、制動性能を向上できるのではないかと考え、本発明に至った。
【００１１】
すなわち、本発明に係る空気入りタイヤは、トレッド部からサイドウォール部を通りビード部のビードコアにて係止された少なくとも一層のカーカス層からなるカーカスと、前記トレッド部における前記カーカスの半径方向外側に配された複数のベルト層からなるベルトを備える空気入りタイヤであって、前記ベルト層は、トレッドショルダー部におけるベルトコードの打込密度がトレッドセンター部におけるベルトコードの打込密度よりも小さく、前記カーカス層は、トレッドショルダー部及びバットレス部におけるカーカスコードの打込密度がトレッドセンター部におけるカーカスコードの打込密度よりも小さく設定されたものである。
【００１２】
また、上記ベルトの半径方向外側に配されたベルト補強層を備える場合には、上記の打込密度設定に加え、更に、前記ベルト補強層に関して、トレッドショルダー部におけるコードの打込密度がトレッドセンター部におけるコードの打込密度よりも小さく設定されていることが好ましい。
【発明の効果】
【００１３】
本発明の空気入りタイヤでは、ベルト層におけるトレッドショルダー部でのベルトコードの打込密度がトレッドセンター部での打込密度よりも小さく設定されている。また、カーカス層についても、トレッドショルダー部やその幅方向外側のバットレス部でのカーカスコードの打込密度がトレッドセンター部での打込密度よりも小さく設定されている。このような構成を採用することにより、ショルダー部の周方向の拘束力を低減することができる。従って、制動時のように前後方向に大きな力がタイヤに作用するとき、センター部に比べショルダー部の歪みエネルギーが大きくなることにより、損失エネルギーも増大する。よって、制動するために必要なエネルギーを稼ぐことができ、制動性能を向上することができる。
【００１４】
特に、エネルギー損失率の寄与が大きいベルト層のショルダー部とカーカス層のショルダー部からバットレス部において剪断歪みが大きくなるようにしているため、他の性能を損なうことなく、効果的に制動性能を向上することができる。また、制動性能を向上させるためにトレッドキャップゴムの配合を変える必要がないため、摩耗性能や転がり抵抗性能などの背反性能の低下を抑えることができる。
【００１５】
また、ベルト補強層がある場合、同補強層についてもトレッドショルダー部でのコードの打込密度をトレッドセンター部での打込密度よりも小さく設定することにより、トレッドショルダー部での周方向の拘束力が低減し、この部位でのコード間のゴムの剪断歪みを大きくして損失エネルギーを効果的に高めることができ、制動性能を向上することができる。
【発明を実施するための最良の形態】
【００１６】
以下、本発明の実施形態に係る空気入りタイヤについて図面を参照して説明する。
【００１７】
図１は、本発明の第１の実施形態に係る空気入りタイヤ１０のトレッド幅方向断面図である。このタイヤ１０は、左右一対のビード部１２及びサイドウォール部１４と、両サイドウォール部１４間にまたがるトレッド部１６とを備えて構成されている。
【００１８】
ビード部１２には、ビードワイヤをタイヤ周方向に巻回してなる環状のビードコア１８が設けられ、該ビードコア１８の半径方向外周にゴム製のビードフィラー２０が配設されている。
【００１９】
左右一対のビードコア１８間にはカーカス２２が設けられている。カーカス２２は、トレッド部１６からサイドウォール部１４を通り、ビード部１２においてビードコア１８で折り返すことにより係止されている。カーカス２２は、有機繊維コード等からなるカーカスコードをタイヤ周方向に対し直角に配列してなるカーカス層の少なくとも一層からなり、この実施形態では一層のカーカス層２４で構成されている。カーカス層２４は、上記カーカスコードをトッピングゴムで被覆することにより構成されている。
【００２０】
トレッド部１６におけるカーカス２２の半径方向外側にはベルト２６が配されている。ベルト２６は、カーカス２２のクラウン部の径方向外周面に重ねて設けられており、スチールコード等の非伸長性のベルトコードをタイヤ周方向に対し浅い角度で傾斜配列してなるベルト層の少なくとも２層を上記ベルトコードが交差するように重ね合わせてなり、この実施形態では内側の第１ベルト層２８と外側の第２ベルト層３０との２層で構成されている。そのうち、カーカス２２に隣接する内側の第１ベルト層２８の方が幅が広く、即ち、第１ベルト層２８が最大幅ベルト層である。これらのベルト層２８，３０は、上記ベルトコードをトッピングゴムで被覆することにより構成されている。
【００２１】
このような構成からなるものにおいて、本実施形態では、各ベルト層２８，３０がそれぞれ下記式（１）を満足するよう構成されている。
【００２２】
ＥＢ（ＣＥ）＞ ＥＢ（ＳＨ）  …（１）
式中、ＥＢ（ＣＥ）は、トレッドセンター部ＣＥにおけるベルトコードの打込密度（本／２５．４ｍｍ）であり、ＥＢ（ＳＨ）は、トレッドショルダー部ＳＨにおけるベルトコードの打込密度（本／２５．４ｍｍ）である。
【００２３】
ここで、打込密度は、コードの長手方向に直交する方向での所定幅（２５．４ｍｍ）当たりの打込本数である（カーカスコード及びベルト補強層のコードにおいて同じ）。また、トレッドショルダー部ＳＨとは、加硫成形後のタイヤ１０において、第１ベルト層（最大幅ベルト層）２８の各幅方向端２８Ａからその幅Ｗの１５〜３５％の範囲内の側部区域部分のことであり、より好ましくは上記幅Ｗの２０〜３０％の範囲内の側部区域部分のことであり、この実施形態では上記幅Ｗの２５％、即ち上記幅Ｗをトレッド幅方向に４等分したときの外側の側部区域部分のことである。トレッドセンター部ＣＥとは、第１ベルト層２８の幅Ｗにおけるトレッドショルダー部ＳＨの残余の中央区域部分のことであり、この実施形態では上記幅Ｗをトレッド幅方向に４等分したときの中央の２区分からなる中央区域部分のことである。
【００２４】
本実施形態ではまた、カーカス層２４が下記式（２）を満足するよう構成されている。
【００２５】
ＥＰ（ＣＥ）＞ ＥＰ（ＳＨ）≧ ＥＰ（ＢＡＴ）  …（２）
式中、ＥＰ（ＣＥ）は、トレッドセンター部ＣＥにおけるカーカスコードの打込密度（本／２５．４ｍｍ）であり、ＥＰ（ＳＨ）は、トレッドショルダー部ＳＨにおけるカーカスコードの打込密度（本／２５．４ｍｍ）であり、ＥＰ（ＢＡＴ）は、バットレス部ＢＡＴにおけるカーカスコードの打込密度（本／２５．４ｍｍ）である。ここで、バットレス部ＢＡＴとは、上記第１ベルト層２８の各幅方向端２８Ａよりも幅方向外側の区域のことであり、この実施形態では上記幅方向端２８Ａからタイヤ外周に沿って最大タイヤ断面幅位置３２（タイヤをトレッド幅方向に切断した断面において幅が最大となる位置）までの区域のことである。
【００２６】
上記ベルトコードとカーカスコードの打込密度につき、トレッドショルダー部ＳＨとセンター部ＣＥとの比は次の通りであることが好ましい。  
ＥＢ（ＳＨ）／ＥＢ（ＣＥ）＝０．４〜０．９
ＥＰ（ＳＨ）／ＥＰ（ＣＥ）＝０．４〜０．９
ショルダー部とセンター部の比が、上記の上限よりも大きいと、目標性能の効果代が小さく、逆に、上記の下限よりも小さいと、耐久性能の悪化が懸念される。
【００２７】
このようにコードの打込密度を変えるための具体的手段としては特に限定されないが、本実施形態では、図２に示すように、各コードの配設幅を変化させることにより行っている。
【００２８】
図２に示すように、ベルト層２８，３０のベルトコードはタイヤ周方向に対して所定の角度（通常１５〜２５°）で傾斜配列しているため、幅方向の全幅にわたって延びる幅広のベルトコード３４，３８とトレッドセンター部ＣＥの幅方向両端間で延びる幅狭のベルトコード３６，４０とを組み合わせることにより、トレッドセンター部ＣＥとトレッドショルダー部ＳＨとで粗密を付けることができる。幅広のベルトコード３４，３８と幅狭のベルトコード３６，４０との配設構成は、図２に示すように交互であってもよく、また、何本かおきに配してもよく、ショルダー部とセンター部の比が上記範囲内になるように適宜に設けることができる。
【００２９】
また、カーカス層２４のカーカスコードはタイヤ周方向に対しほぼ直角（通常９０〜７０°）に配列しているため、左右のビード部１２間に架け渡される幅広のカーカスコード４２とトレッドセンター部ＣＥの幅方向両端間で延びる幅狭のカーカスコード４４とを組み合わせることにより、トレッドセンター部ＣＥとトレッドショルダー部ＳＨとで粗密を付けることができる。両者の配設構成については、ベルトコードと同様、ショルダー部とセンター部の比が上記範囲内になるように適宜に設けることができる。
【００３０】
以上よりなる本実施形態の空気入りタイヤ１０であると、両ベルト層２８，３０におけるベルトコードの打込密度とカーカス層２４におけるカーカスコードの打込密度を上記のように特定の粗密をつけて構成したので、ベルト２６はショルダー部ＳＨにおいて、またカーカス２２はショルダー部ＳＨからバットレス部ＢＡＴにおいて、それぞれ周方向の拘束力が低減する。そのため、これらの部位でのコード間のゴム（トッピングゴム）の剪断歪みが大きくなるので、これらの部位の損失エネルギーを効果的に高めることができる。よって、制動するために必要なエネルギーを効果的に稼ぐことができ、制動性能を向上することができる。
【００３１】
図３は、本発明の第２の実施形態に係る空気入りタイヤ５０のトレッド幅方向断面図である。この実施形態では、ベルト２６の半径方向外側にベルト補強層５２を設けた点が上記第１の実施形態と相違する。
【００３２】
ベルト補強層５２は、第１ベルト層２８の幅Ｗとほぼ等しい幅を有し、ベルト２６を全幅にわたって覆うようにベルト２６の外周面に重ねられており、タイヤ周方向にほぼ平行（通常タイヤ周方向に対して０〜５°）に配列されたナイロン等の有機繊維コードから構成されている。
【００３３】
そして、この場合、上記式（１）及び（２）に加え、ベルト補強層５２が下記式（３）を満足するよう構成されている。
【００３４】
ＥＣ（ＣＥ）＞ ＥＣ（ＳＨ）  …（３）
式中、ＥＣ（ＣＥ）は、トレッドセンター部ＣＥにおける補強層５２のコードの打込密度（本／２５．４ｍｍ）であり、ＥＣ（ＳＨ）は、トレッドショルダー部ＳＨにおける補強層５２のコードの打込密度（本／２５．４ｍｍ）である。
【００３５】
ベルト補強層５２のコードの打込密度については、トレッドショルダー部ＳＨとセンター部ＣＥとの比が次の通りであることが好ましい。  
ＥＣ（ＳＨ）／ＥＣ（ＣＥ）＝０．３〜０．９
この比が上限よりも大きいと、目標性能の効果代が小さく、逆に、下限よりも小さいと、耐久性能の悪化が懸念される。
【００３６】
ベルト補強層５２のコードの打込密度を変えるための具体的手段としては特に限定されないが、本実施形態では、図４に示すように、タイヤ周方向に延びるコード５４の打込間隔を変えている。すなわち、トレッドセンター部ＣＥではコード５４の打込間隔を小さくし、トレッドショルダー部ＳＨではコード５４の打込間隔を大きくすることにより、トレッドショルダー部ＳＨでのコード５４の打込密度を疎にしている。
【００３７】
このようにベルト補強層５２を設ける場合には、同補強層５２についてもトレッドショルダー部ＳＨでのコード５４の打込密度をトレッドセンター部ＣＥでの打込密度よりも小さく設定することにより、ベルト補強層５２のショルダー部ＳＨでの周方向の拘束力が低減し、この部位でのゴムの剪断歪みを大きくすることができ、そのため、損失エネルギーを効果的に高めて、制動性能を向上することができる。
【００３８】
第２の実施形態について、その他の構成は上記した第１の実施形態と同様であり、同様の作用効果が奏される。
【００３９】
図５は、ベルトコードの打込密度に粗密をつけるための変更例を示したものである。すなわち、図５に示すように、ベルト層２８は、トレッドセンター部ＣＥとトレッドショルダー部ＳＨとで、タイヤ周方向に対するベルトコード６０の角度を変えており、トレッドショルダー部ＳＨでのコード６０Ａの角度θ１がセンター部ＣＥでのコード６０Ｂの角度θ２よりも大きく設定されており、これにより、ベルトコード６０のトレッドショルダー部ＳＨでの打込密度がトレッドセンター部ＣＥでの打込密度よりも小さくなっている。このような方法によってもベルトコードの打込密度を変えることができる。なお、このようにベルトコード６０を屈折させる場合、トレッドセンター部ＣＥとトレッドショルダー部ＳＨの打込密度は、それぞれの領域においてコードの長手方向に直交する方向における単位長さ当たりの打込本数を測定することにより求められる。
【００４０】
なお、上記第１及び第２の実施形態においては、ベルト２６の幅方向における端部区域のみを覆うエッジプライを設けることもできる。エッジプライは、上記ベルト補強層５２と同様、タイヤ周方向にほぼ平行に配列されたナイロン等の有機繊維コードからなるものである。エッジプライを設ける場合、エッジプライのコードの打込密度はトレッド幅方向で一定でよい。
【実施例】
【００４１】
（実施例１及び比較例１，２）
実施例１及び比較例１，２のタイヤとして、図１に示す断面構造の空気入りラジアルタイヤを、タイヤサイズ：２２５／４５ＺＲ１７として作製した。各タイヤにおけるベルト層２８，３０及びカーカス層２４の構成は、下記表１に示すとおりである（表中の打込密度は加硫後での値である）。ここで、比較例１はコントロールタイヤであり、比較例２は、従来手法により制動性能の向上を図ったタイヤであり、比較例１に対してトレッドキャップのゴム配合を制動性能が向上する高摩擦抵抗の配合に変更し、その他は比較例１と同じ構成のタイヤである。また、実施例１は、比較例１に対してベルト層及びカーカス層のコード構成を表１に示す通り変更したものであり、その他は比較例１と同じ構成のタイヤである。
【００４２】
実施例１及び比較例１，２の各タイヤについて、制動性能と摩耗性能を評価した。評価方法は以下の通りである。
【００４３】
・制動性能：使用リム：１７×７．５ＪＪ、空気圧：２２０ｋＰａとして、各タイヤを２５００ｃｃの乗用車に装着する。該乗用車を助走区間で時速１００ｋｍまで加速し、初速度調整区間で試験速度１００ｋｍ／ｈを維持した後、制動開始点を通過すると同時にブレーキペダルを迅速に強く踏み込み、停止するまでその状態を維持し、停止距離を読み取る。結果は、比較例１の停止距離を１００とした逆指数表示とし、数値が大きいほど制動性能が優れることを示す。
【００４４】
・摩耗性能：使用リム：１７×７．５ＪＪ、空気圧：２２０ｋＰａとして、各タイヤを２５００ｃｃの乗用車に装着し、テストコース（市街地と高速道の混合）にて１００００ｋｍ走行を行う。トレッドセンター部ＣＥとトレッドショルダー部ＳＨの摩耗量を測定し、両者の平均を算出する。結果は、比較例１の摩耗量を１００として指数評価し、数値が大きいほど摩耗性能が優れることを示す。
【表１】
2006256521.tif 000003
【００４５】
表１に示すように、従来手法による比較例２では、比較例１に対して、制動性能は向上したものの、摩耗性能が悪化していた。これに対し、実施例１では、摩耗性能を損なうことなく、制動性能が向上していた。
【００４６】
（実施例２及び比較例３〜５）
実施例２及び比較例３〜５のタイヤとして、図３に示す断面構造の空気入りラジアルタイヤを、タイヤサイズ：２２５／４５ＺＲ１７として作製した。各タイヤにおけるベルト層２８，３０、カーカス層２４及びベルト補強層５２の構成は、下記表２に示すとおりである（表中の打込密度は加硫後での値である）。ここで、比較例３はコントロールタイヤであり、比較例４は、従来手法により制動性能の向上を図ったタイヤであり、比較例３に対してトレッドキャップのゴム配合を制動性能が向上する高摩擦抵抗の配合に変更し、その他は比較例３と同じ構成のタイヤである。また、比較例５及び実施例２は、比較例３に対してベルト層、カーカス層及びベルト補強層のコード構成を表２に示す通り変更したものであり、その他は比較例３と同じ構成のタイヤである。
【００４７】
実施例２及び比較例３〜５の各タイヤについて、制動性能と摩耗性能を評価した。評価方法は上記した通りである。
【表２】
2006256521.tif 000004
【００４８】
結果は表２に示すとおりであり、従来手法による比較例４では、比較例３に対して、制動性能は向上したものの、摩耗性能が悪化していた。また、ベルト補強層のコード構成のみ粗密をつけた比較例５では、ベルト層及びカーカス層のショルダー部がセンター部と同様に周方向の拘束力が低減されていないためか、制動性能の向上効果は認められなかった。これに対し、実施例２では、摩耗性能を損なうことなく、制動性能が向上していた。
【図面の簡単な説明】
【００４９】
【図１】第１の実施形態に係る空気入りタイヤのトレッド幅方向断面図である。
【図２】第１の実施形態におけるベルト及びカーカスの展開平面図である。
【図３】第２の実施形態に係る空気入りタイヤのトレッド幅方向断面図である。
【図４】第２の実施形態におけるベルト、カーカス及びベルト補強層の展開平面図である。
【図５】変更例に係るベルト層の平面図である。
【符号の説明】
【００５０】
１０，５０…空気入りタイヤ、１２…ビード部、１４…サイドウォール部、１６…トレッド部、１８…ビードコア、２２…カーカス、２４…カーカス層、２６…ベルト、２８…第１ベルト層（最大幅ベルト層）、３０…第２ベルト層、３４，３６，３８，４０，６０…ベルトコード、４２，４４…カーカスコード、５２…ベルト補強層、５４…ベルト補強層のコード、ＣＥ…トレッドセンター部、ＳＨ…トレッドショルダー部、ＢＡＴ…バットレス部
【図１】
2006256521.tif 000005
【図２】
2006256521.tif 000006
【図３】
2006256521.tif 000007
【図４】
2006256521.tif 000008
【図５】
2006256521.tif 000009